(57)【要約】  幾つかの結合スタッドが設けられる表面を有する少なくとも１つの組立部品を備える玩具組立セット。前記結合スタッドは表面から延び、隣り合った結合スタッド間に相互に固定された距離があるパターンで構成される。玩具組立セットは穿孔器を更に備え、該穿孔器が筐体を備え、前記筐体内に、前記穿孔器が例えば、紙等のシートに穴を開けることができるように、上記シート等の薄い材料から構成されたシート部品からの材料に穴を開ける少なくとも１つの穿孔具が構成され、前記穴は、１つ又は複数の結合スタッドを前記開けられた穴に導入可能なような広がりを有する。組立前記筐体は本質的に平らな表面を備え、前記平らな表面には、幾つかの結合手段を形成する窪みが設けられ、前記結合手段は前記結合スタッドに対して相補的であり、前記組立部品の前記結合スタッドの間隔と同じ相互に固定された距離で構成され、したがって前記筐体を組立部品に取り付けることができる。【選択図】図１
2013540528.tif 000002
【特許請求の範囲】
【請求項１】
幾つかの結合スタッドが設けられる表面を有する少なくとも１つの組立部品を備える玩具組立セットであって、前記結合スタッドは前記表面から延び、前記結合スタッドは、隣り合った結合スタッド間に相互に固定された距離があるパターンで構成され、該玩具組立セットは穿孔器を更に備え、前記穿孔器が筐体を備え、前記筐体内に、前記穿孔器が例えば、紙、プラスチック、又は織物のシートに穴を開けることができるように、前記シート等の薄い材料から構成されたシート部品からの材料に穿孔する少なくとも１つの穿孔具が構成され、前記穴は、１つ又は複数の結合スタッドを前記開けられた穴に導入可能なような広がりを有する、玩具組立セットにおいて、前記筐体が本質的に平らな表面を備え、前記平らな表面には、幾つかの結合手段を形成する幾つかの窪みが設けられ、前記結合手段は前記結合スタッドに対して相補的であり、前記筐体を組立部品に取り付けることができるように、前記組立部品の前記結合スタッドの間隔と同じ相互に固定された距離で構成されることを特徴とする、玩具組立セット。
【請求項２】
前記穿孔器、特に前記穿孔具が、前記穿孔器の前記筐体の前記本質的に平らな表面と平行して本質的に平面に延びるシートに１つ又は複数の穴を開けることができるように構成されることを特徴とする、請求項１に記載の玩具組立セット。
【請求項３】
前記穿孔具のそれぞれが、ロッドであって、縦軸と、該ロッドがその前記縦軸に沿って前記シートを通ってシフトすると、前記シートを切り裂くことが可能な刃が設けられる第１の端部とを有するロッドとして構成されることを特徴とする、請求項２に記載の玩具組立セット。
【請求項４】
各結合スタッド及び各穿孔具が、各穿孔具の前記中心軸が各穿孔具の前記縦軸を構成するように、本質的に円筒形であり、前記相補的結合手段の一方が、前記結合スタッドの前記中心軸が前記穿孔具のうちの１つの前記中心軸に一致するように配置されることを特徴とする、請求項３に記載の玩具組立セット。
【請求項５】
前記穿孔具の直径が、前記結合スタッドの対応する直径に対応することを特徴とする、請求項４に記載の玩具組立セット。
【請求項６】
前記穿孔器の前記筐体が、前記筐体の前記平面とは逆側に構成される操作ハンドルを備え、前記操作ハンドルが、前記筐体の方向に押されると、１つ又は複数の穿孔具がアクティベートされて、前記シートに１つ又は複数の穴を開けるように構成されることを特徴とする、請求項２に記載の玩具組立セット。
【請求項７】
前記穿孔器の前記筐体が、シートを受けるスロットを備え、前記スロットが、前記本質的に平らな表面と本質的に平行して前記筐体内に延びることを特徴とする、請求項２に記載の玩具組立セット。
【請求項８】
前記穿孔器が、前記組立部品の２つの隣り合った結合スタッド間の前記相互に固定された距離に対応する相互距離で正方形パターンに構成された少なくとも４つの穿孔具を備えることを特徴とする、請求項１〜７のいずれか一項に記載の玩具組立セット。
【請求項９】
筐体を備える穿孔器であって、該穿孔器が例えば、紙、プラスチック、又は織物のシートに穴を開けることができるように、前記シート等の薄い材料から構成されたシート部品からの材料に穴を開ける手段が構成される、穿孔器において、前記筐体が本質的に平らな表面を有し、前記平らな表面には、少なくとも２つの窪みが互いに隣り合って構成され、前記窪みが、玩具組立セットの組立部品等の第２の部品の本質的に平らな表面から延びるように構成された対応する数の結合スタッドに係合して、前記結合スタッドを収納することができるように構成され、前記結合スタッドが、中心及び直径４．８ｍｍを有する本質的に円筒形の表面を有し、２つの隣り合った結合スタッドの前記円筒形表面の間隔が３．２ｍｍであるように、２つの隣り合った結合スタッドの間隔が８ｍｍであるように構成されることを特徴とする、穿孔器。
【請求項１０】
筐体を備える穿孔器であって、該穿孔器が例えば、紙、プラスチック、又は織物のシートに穴を開けることができるように、前記シート等の薄い材料から構成されたシート材料から材料に穴を開ける手段が構成される、穿孔器において、前記筐体が本質的に平らな表面を有し、前記平らな表面には、少なくとも２つの窪みが互いに隣り合って構成され、前記窪みが、玩具組立セットの組立部品等の第２の部品の本質的に平らな表面から延びるように構成された対応する数の結合スタッドに係合して、前記結合スタッドを収納することができるように構成され、前記結合スタッドが、中心及び直径９．６ｍｍを有する本質的に円筒形の表面を有し、２つの隣り合った結合スタッドの前記円筒形表面の間隔が６．４ｍｍであるように、２つの隣り合った結合スタッドの間隔が１６ｍｍであるように構成されることを特徴とする、穿孔器。
【発明の詳細な説明】
【技術分野】
【０００１】
本発明は、幾つかの結合スタッドが設けられる表面を有する少なくとも１つの組立組立部品を備える玩具組立セットであって、結合スタッドは表面から延び、結合スタッドは、隣り合った結合スタッド間に相互に固定された距離があるパターンで構成され、玩具組立セットは穿孔器を更に備え、上記穿孔器が筐体を備え、筐体内に、穿孔器が例えば、紙、プラスチック、又は織物のシートに穴を開けることができるように、シート等の薄い材料から構成されたシート部品からの材料に穿孔する少なくとも１つの穿孔具を設け、穴は、１つ又は複数の結合スタッドを開けられた穴に導入可能なような広がりを有する。
【０００２】
本発明は、結合スタッドを有する組立部品を含む玩具組立セットと併せて使用される穿孔器に更に関する。
【背景技術】
【０００３】
［関連技術の記載］
組立部品又は組立ブロックを含む玩具組立セットが、多くの異なる構成で知られており、個々の組立部品に幾つかの結合スタッドが設けられることが、組立部品の大部分に該当する。その結合スタッドは、該結合スタッドが別の組立部品の相補的に構成された結合スタッドと係合し、それにより、一方の組立部品の結合スタッドが他方の組立部品の相補的結合手段に完全又は部分的に収納されることが可能なように組立部品の表面から突出する。
【０００４】
そのような玩具組立セットはほとんどの場合、比較的硬く柔軟性のない三次元ブロック及び部品からなり、玩具組立セットは、建物、機械、及び他の無機の不動構造物に類似する比較的巨大な構造物の組立に極めて適するが、単に玩具組立セットの組立部品を使用するだけでは、玩具の中庭の風よけ、建物の横断幕、又はボートの帆等の軽い構造物を組立することは難しい。
【０００５】
したがって、今日、玩具組立セットが紙、プラスチック、フォイル、又は他の何らかのシート材料で作られた１つ又は複数のシート部品を含み、そのようなシート部品が、すでに製造業者により、特定の状況での使用できるようにするために有さなければならない形状に切り抜かれ、これもまた製造業者により、シート部品を組立部品に取り付けるための穴が更に設けられた、玩具組立セットが知られている。
【０００６】
これに鑑みて、上述した玩具組立セットと併せて使用される上述した種類の穿孔器が知られており、この穿孔器は、紙、フォイル、織物のシート、又は他のシート材料に穴を開けるように構成され、穿孔器によって開けることができる穴は、玩具組立セットの一つの組立部品に構成された結合スタッドを、開けられた穴に導入できるようなサイズのものである。それにより、複数のそのような組立部品からなる構造物を組立し、玩具組立セットのユーザーとして自ら構成したシート材料をその構造物に提供することが可能である。
【０００７】
それにより、穴を開けたい箇所に穴を開けることが可能であり、この穴を続けて使用して、組立部品の結合スタッドによりシート材料を組み立てられた構造物に固定することができ、自らの望みに従ってシート材料部品を適合させ設計し、シート材料部品対して精密に、シート材料部品を所与の組立構造物に取り付けられるようにするのに最も好都合な位置において穴を続けて提供するはるかに高い自由度が達成される。
【発明の概要】
【発明が解決しようとする課題】
【０００８】
これに基づいて、本発明の目的は、穿孔器が関連付けられた玩具組立セットを提供することであり、織物、紙、又は他のシート材料をイメージした形状に従って形作ることを更に容易にする穿孔器、上記シートには、玩具組立セット内の組立部品を使用して組立される所与の構造物において達成が意図される使用に基づいて望まれる正確な位置に開けられた穴が精密に提供される。
【課題を解決するための手段】
【０００９】
これは、玩具組立セットの穿孔器では、前記筐体が本質的に平らな表面を備え、前記平らな表面には、幾つかの結合手段を形成する幾つかの窪みが設けられ、前記結合手段は前記結合スタッドに対して相補的であり、前記筐体を組立部品に取り付けることができるように、前記組立部品の前記結合スタッドの間隔と同じ相互に固定された距離で構成されるという点で達成される。
【００１０】
このようにして、穿孔器を組立部品に取り付けることができ、その後、シートに１つ又は複数の穴を開けることを目的として、シートを穿孔器に導入することができることが可能になる。ユーザーが、幾つかの組立部品から、例えば所与の構造物をそうして組立し、ここで、特定の形状を有する一枚の織物をその構造物に取り付けたい場合、ユーザーは、穿孔器を使用して、穿孔器を組立された建造物の所望の位置に取り付けるか又は結合し、次に、そのシートを建造物の同じ場所に取り付けられるように、シートの穴が存在する必要がある精密な位置に穴を開けることができる。
【００１１】
さらに、ユーザーが自分で様々な種類のシート部品をいかに作ることができるかについて、玩具組立セットの製造業者が事前に指示を書くことができることが可能になり、組立セットはそれ自体、ユーザーにとって、個々の穴を今まで知られているよりも正確な位置により容易に開けることができるような一種の穴あけテンプレートとして機能する。
【００１２】
本発明の好ましい実施形態によれば、したがって、前記穿孔具が、前記穿孔器の前記筐体の前記本質的に平らな表面と平行して本質的に平面に延びるシートに１つ又は複数の穴を開けることができるように構成される。
【００１３】
これに関して、前記穿孔具のそれぞれが、ロッドであって、縦軸と、該ロッドがその前記縦軸に沿って前記シートを通ってシフトすると、前記シートを切り裂くことが可能な刃が設けられる第１の端部とを有するロッドとして別個に構成されることが好都合である。
【００１４】
一実施の形態によれば、各結合スタッド及び各穿孔具が、各穿孔具の前記中心軸が各穿孔具の前記縦軸を構成するように、本質的に円筒形で構成され、前記相補的結合手段の一方が、前記結合スタッドの前記中心軸が前記穿孔具のうちの１つの前記中心軸に一致するように配置されることを特徴とする。
【００１５】
これに関して、穿孔具の直径は、結合スタッドの対応する直径に対応することが好都合であり、この理由は、それにより、結合スタッドへのシートの非常に正確な位置決めが達成されるためである。
【００１６】
そのために、穿孔器の筐体は、筐体の平面とは逆側に構成される操作ハンドルを備えることができ、上記操作ハンドルは、圧力が筐体に向かう方向にかけられると、１つ又は複数の穿孔具がアクティベートされ、１つ又は複数の穴をシートに開けるように構成される。それにより、操作ハンドルに加えるべき力は、穿孔実行中に穿孔器が結合スタッドから外れる危険性がように、結合スタッドの中心軸と本質的に平行に作用する。
【００１７】
さらに、穿孔器の筐体は、シートを受けるための比較的狭いスロットを備えることができ、上記スロットは、例えば、子供が、穿孔プロセス中、指等を穿孔具の下に挿入することにより怪我をしないことが保証されるように、本質的に平らな表面と本質的に平行に筐体内に延びる。
【００１８】
特に好ましい実施形態によれば、穿孔器は少なくとも４つの穿孔具を備え、穿孔具は、組立部品の２つの隣り合った結合スタッド間の相互に固定された距離に対応する相互距離で正方形パターンに構成される。
【００１９】
本発明は穿孔器それ自体にも関し、上記穿孔器は筐体を備え、穿孔器が例えば、紙、プラスチック、又は織物のシートに穴を開けることが可能なように、上記シート等の薄い材料から構成されたシート部品からの材料に穴を開ける手段が構成される。これに関して、本発明による筐体は本質的に平らな表面を有し、平らな表面には、少なくとも２つの窪みが互いに隣接して構成され、上記窪みは、対応する数の結合スタッドに係合して、結合スタッドを収納できるように構成され、結合スタッドは、玩具組立セットの組立部品等の別の部品の本質的に平らな表面から延びるように構成され、結合スタッドは、中心及び直径４．８ｍｍを有する本質的に円形の円筒形表面を有し、２つの隣り合ったスタッドの円筒形表面の間隔が３．２ｍｍであるように、２つの隣り合った結合スタッドの間隔が８ｍｍであるように構成され、この穿孔器は特に、既知の玩具組立セットとの併用に適する。
【００２０】
同じことが、穿孔器が同じように構成される場合、別の既知の玩具組立セットに関しても当てはまり、その玩具組立セットでは、結合スタッドが代わりに中心及び直径９．６ｍｍを有する本質的に円筒形表面を有し、２つの隣り合った結合スタッドの円筒形表面の間隔が６．４ｍｍであるように、２つの隣り合った結合スタッドの間隔が１６ｍｍであるように構成される。
【図面の簡単な説明】
【００２１】
【図１】上正面から斜めに見た本発明による穿孔器の斜視図である。
【図２】上から斜めに見た本発明による玩具組立セットの組立部品の斜視図である。
【図３】穿孔器の縦断面での、上正面から斜めに見た、図１に示される穿孔器の部分を示す斜視断面図である。
【図４】上正面から斜めにみた、筐体の一番上のカバーが除去された図１に示される穿孔器の斜視図である。
【図５】上背後から斜めに見た、上部カバー、操作ハンドル、及び穴選択器を操作させるハンドルが除去された図１に示される穿孔器の斜視図である。
【発明を実施するための形態】
【００２２】
したがって、図１は、本発明による穿孔器１を示し、上記穿孔器１は筐体２を備え、筐体２にはスロット３が構成され、スロット３には、紙、プラスチック、織物、又は他の材料等の（図示されない）薄い材料のシートを導入することができ、穿孔器１は操作ハンドル４を有し、操作ハンドル４は、操作される場合、穿孔器の筐体２に向かう方向において押下され、それにより、幾つかの穿孔具をアクティベートさせ、穿孔具は押し出されて、スロット３を横断してシフトし、それにより、穿孔具が図示されない薄い材料のシートを通って押し出され、穿孔具の数及び構成に応じて１つ又は複数の穴を紙に生成する。
【００２３】
図１に示される穿孔具は、幾つかの別個の穿孔具を有し、第２の操作器具５を更に備え、第２の操作器具５を使用して、操作ハンドル４が押下されると同時にアクティベートされる穿孔具の数を変更する。
【００２４】
本発明の一実施形態によれば、穿孔器は玩具組立システム又は玩具組立セットの一部であり、玩具組立システム又は玩具組立セットにより、例えば、図２に示される種類の幾つかの組立部品又は組立ブロックが意図され、図２は、合計で４つの結合スタッド８が設けられた表面７を有する組立部品６を示す。それにより、穿孔器が、既存の製品での使用に適する別個の製品であることができ、又は幾つかの組立部品とともに販売される器具としてであることができることが当業者には明らかであろう。
【００２５】
さらに、図１に示される組立部品が組立部品の多くの実施形態のうちの１つであり、本発明を、図１に示されるよりも多数若しくは少数の結合スタッド８を有し、任意選択的に図１に示されるもの以外の構成又は相互距離のスタッドを有する組立部品と併せて使用可能なことが当業者には明らかであろう。
【００２６】
示される穿孔器１には、本質的に平らな底面に幾つかの窪み９が設けられ、上記窪みは、それぞれが、組立部品６の結合スタッド８に対して相補的な幾つかの結合手段を形成するように構成され、組立部品に図２に示されるものと同じ形状及び相互距離を有する結合スタッドが設けられている場合、穿孔器を玩具組立セットの組立部品に取り付けることが可能である。穿孔器１が、例えば、図２に示される組立部品６よりも多数の結合スタッド８を有する組立部品又は組立プレートに取り付けられる場合、そのような組立プレートは、シートに幾つかの穴群を正確に相互に位置決めするための一種の穴あけテンプレートとして機能することが可能である。
【００２７】
ここで、図３は、図１に全体的に示された穿孔器と同じ穿孔器１の一部を示す。ここでは、断面で示されるのは主に穿孔器の一番正面の側であり、断面は、筐体２の対称面に対して平行に、僅かに変位して配置される。明らかになるように、操作ハンドル４は、シャフト１１を中心として筐体２に対して軸支され、操作ハンドル４が筐体２の方向に押下されると、操作ハンドル４はピストン１２を選択器盤１３に向けて押下され、選択器盤１３は続けて、穿孔具１４が既知のように、スロット３内にシフトされて穿孔具の下に延びる図示されないシートを通って押されるように、スロット３を横断して下方に穿孔具１４のうちの１つ又は複数を押下する。
【００２８】
本発明の実施形態によれば、操作ハンドル４の押下により同時にアクティベートされる穿孔具１４の数を変更することが可能である。したがって、図４及び図５は、図１に示される穿孔器の一番正面の部分を示し、図４では、図１の筐体２の一部を構成する上部シェルが除去されており、図５では、操作ハンドル４及び第２の操作ハンドル５が除去されている。
【００２９】
したがって、本明細書では、第２の操作ハンドル５が、ピストン１２を介して、ここでは幾つかの切り欠きを有する円盤の形態で示される穴選択器１５に接続されることが明らかであり、切り欠きは、穴選択器が図５に示されるように位置決めされた場合に穿孔具１４に向かって押下されるとき、４つ全ての穿孔具１４がスロット３に向かって同時に押下され、このようにして、４つ全ての穿孔具がアクティベートされて、シートに穴を開けるように構成される。
【００３０】
穴選択器１５が続けて反時計回り方向に小さな距離だけ回転すると、穴選択器１５の２つのポインタ１６が４つの穿孔具１４のうちの２つから精密に外され、穴選択器が反時計回り方向に更に回転すると、操作ハンドル４が押下されたとき、４つの穿孔具のうちの１つのみがアクティベートされる位置を占めることが更に可能である。
【００３１】
上述され図面に示された穿孔器とは異なる穿孔器の実施形態を示唆可能なことが当業者には明らかであろう。したがって、本発明の原理は、穿孔器が、互いに向けて押すことができる２つの操作ハンドルを有する一対のトングとして構成される実施形態で使用することもでき、本明細書において提供される４つよりも多数又は少数の穿孔具を提供することが可能である。
【図２】
2013540528.tif 000003
【図１】
2013540528.tif 000004
【図３】
2013540528.tif 000005
【図４】
2013540528.tif 000006
【図５】
2013540528.tif 000007
【国際調査報告】
2013540528.tif 000008
2013540528.tif 000009
2013540528.tif 000010
2013540528.tif 000011
2013540528.tif 000012